(57)【要約】【課題】電話を耳と肩の間に挟むことを容易にする電話補助具において、電話補助具に対し、電話機がずれにくいまたは抜け落ちにくい電話補助具を提供する事にある。【解決手段】本考案の電話補助具は、外力により圧縮可能な弾力性を有する部材で構成された電話補助具であって、肩当て面と電話保持面を備え、電話保持面には電話保持部材を具備し、電話保持部材は１ヶ所以上の開口部を有して電話保持面に固定され、電話保持部材の内側面又は電話保持面の１ヶ所以上に滑り止め部材を配した事を特徴とする。【選択図】図５
0003157539.tif 000002
【実用新案登録請求の範囲】
【請求項１】
外力により圧縮可能な弾力性を有する部材で構成された電話補助具であって、肩当て面と電話保持面を備え、電話保持面には電話保持部材を具備し、電話保持部材は１ヶ所以上の開口部を有して電話保持面に固定され、電話保持部材の内側面又は電話保持面の１ヶ所以上に滑り止め部材を配した事を特徴とする電話補助具。
【請求項２】
外力により圧縮可能な弾力性を有する部材で構成された電話補助具であって、肩当て面と電話保持面を備え、電話保持面には１個以上の吸盤を具備する事を特徴とする電話補助具。
【請求項３】
外力により圧縮可能な弾力性を有する部材で構成された電話補助具であって、肩当て面と電話保持面を備え、電話保持面には電話保持部材を具備し、電話保持部材の一辺は固定され、電話保持部材の反対の一辺は、着脱自在に係止できる事を特徴とする電話補助具。
【請求項４】
上記電話補助具において、肩当て面の１ヶ所以上に滑り止め部材を具備したことを特徴とする請求項１から請求項３のいずれかに記載の電話補助具。
【考案の詳細な説明】
【技術分野】
【０００１】
本考案は、電話を耳と肩の間に挟むことを容易にする電話補助具に関するものである。
【背景技術】
【０００２】
近年、携帯電話を耳と肩の間に挟むことを容易にする補助部材として、いくつかの提案がなされている。本考案者も、実願２００９−４８８１号、携帯電話補助具にて、外力により圧縮可能な弾力性を有する部材で構成された電話機補助具であって、肩当て面と電話保持面を備え、肩当て面には滑り止め部材を具備し、電話機保持面には電話機保持部材を具備し、電話機保持部材は２ヶ所の開口部を有して電話保持面に固定される事を特徴とする電話機補助具を提案している。
【０００３】
しかし、上記携帯電話補助具では、電話保持面と電話保持部材間に差込んだ携帯電話が抜け落ちやすいという問題があった。
【０００４】
この為、電話を耳と肩の間に挟むことを容易にする電話補助具において、電話補助具に対し、電話機がずれにくいまたは抜け落ちにくい電話補助具が望まれていた。
【特許文献１】実願２００９−４８８１号
【考案の開示】
【考案が解決しようとする課題】
【０００５】
本考案は、電話を耳と肩の間に挟むことを容易にする電話補助具において、電話補助具に対し、電話機がずれにくいまたは抜け落ちにくい電話補助具を提供する事にある。
【課題を解決するための手段】
【０００６】
本考案は、上記課題を解決するためになされたものであって、請求項１の考案は、外力により圧縮可能な弾力性を有する部材で構成された電話補助具であって、肩当て面と電話保持面を備え、電話保持面には電話保持部材を具備し、電話保持部材は１ヶ所以上の開口部を有して電話保持面に固定され、電話保持部材の内側面又は電話保持面の１ヶ所以上に滑り止め部材を配した事を特徴とする。
【０００７】
請求項２に係る考案は、外力により圧縮可能な弾力性を有する部材で構成された電話補助具であって、肩当て面と電話保持面を備え、電話保持面には１個以上の吸盤を具備する事を特徴とする。
【０００８】
請求項３に係る考案は、外力により圧縮可能な弾力性を有する部材で構成された電話補助具であって、肩当て面と電話保持面を備え、電話保持面には電話保持部材を具備し、電話保持部材の一辺は固定され、電話保持部材の反対の一辺は、着脱自在に係止できる事を特徴とする。
【０００９】
請求項４に係る考案は、肩当て面の１ヶ所以上に滑り止め部材を具備したことを特徴とする請求項１から請求項３のいずれかに記載の電話補助具。
【００１０】
電話保持部材を１ヶ所の開口部を有して電話保持面に固定した場合は、ポケット状になり、ポケットの中に電話機を収める状態となる。また、電話保持部材を２ヶ所の開口部を有して電話保持面に固定し、電話保持部材と電話保持面間が貫通状態とした場合は、その貫通部分に電話機を差込む状態となる。
【考案の効果】
【００１１】
本考案の電話補助具は、電話保持面又は電話保持部材内側面、またはその両方に滑り止め部材を具備する事により、電話保持面と電話保持部材間に差込んだ携帯電話が抜け落ちにくくすることができた。
【００１２】
また、１個以上の吸盤にて携帯電話を吸着させる事により、電話補助具と携帯電話の位置ズレの発生を抑える事ができた。
【００１３】
また、電話保持部材の反対の一辺を、着脱自在に係止できる事により、電話補助具に対する受話器の保持を安定して行えるようにできた。
【考案を実施するための最良の形態】
【００１４】
本考案の電話補助具における携帯電話の保持は、電話保持部材と電話保持面間は貫通状態となっていて、電話保持部材の内側面に配する滑り止め部材は、２ヶ所の開口部付近であることが望ましい。
【実施例１】
【００１５】
以下、本考案の実施形態を、詳しく説明する。図１は、電話補助具を電話保持面方向から見た斜視図である。１０は電話補助具を示し、１１は電話機保持面、１２は電話保持部材、１３、１４は開口部、１５、１６は縫い付け部、１９は滑り止め部材である。電話保持部材１２は、開口部１３、１４を有しながら、縫い付け部１５、１６にて電話保持面に縫い付けられている。図１では、電話保持部材１２を電話保持面１１に対し、縫い付けにて固定した状態を示したが、固定方法はこれに限定するものではない。
【００１６】
電話補助具１０の全体は、外力により圧縮可能な弾力性を有する部材で構成されるが、この時の構成としては、ぬいぐるみやクッションに使用する部材、例えば、布や伸縮性のある織布に、スポンジやウレタンや綿等を組み合わせた構成である場合があり、熱溶着、接着、又は縫製によって成形したビニルの内側にスポンジやウレタンや綿等を組み合わせた構成である場合もある。他に、熱溶着又は接着によって成形したビニルチューブに空気を吹き込んで膨らませた構成とする場合もある。
【００１７】
更に、電話保持部材１２は、レース生地、メッシュ生地など、携帯電話を保持した後に携帯電話の表示面又は、ボタン面が認識できる方が望ましい。また、電話保持部材１２は、全体またはその一部に、透明のビニルやポリカーボネイトなどの樹脂シートを使用する場合もある。
【００１８】
図２は、滑り止め部材１９の位置関係を示す部分断面図である。図２では電話保持面１１の両端部に電話保持部材１２が固定された状態であって、電話保持部材１２の内側に滑り止め部材１９が具備されている。携帯電話は、電話保持面１１と滑り止め部材１９の間に挿入する事になる。
【００１９】
滑り止め部材１９の位置は、図１では電話保持部材１２の両端付近に配されているが、位置についてはこれに限定するものではなく、電話保持面１１に配する場合もあり、電話保持面１１と電話保持部材１２の両方に配する場合もある。
【００２０】
図３は、電話補助具を肩当て面方向から見た斜視図である。１７は肩当て面を示し、１８は滑り止め部材である。図２では肩当て面１７の一部に滑り止め部材１８を配した状態を示したが、肩当て面の数ヶ所に分けて配する場合もあり、肩当て面１７全てを滑り止め部材１８で形成する場合もあり、電話補助具全体を滑り止め部材１８で形成する場合もある。
【００２１】
肩当て面１７とは、平面のみ指すものではなく、電話補助具を耳と肩との間に挟んだ場合、肩に接する部分を指している。従って球状の電話補助具の場合も、肩に接する部分を肩当て面と呼ぶ。
【００２２】
滑り止め部材１８、１９には、カーペットの下に敷いて使用する滑り止めシートや、ノンスリップ不織布などを用いる場合もある。また、ポリ塩化ビニル、ポリアミド、レーヨンで構成される材料を使用する場合もあり、塩化ビニルと酢酸ビニルの共重合体、ポリ塩化ビニルとポリ酢酸ビニルの混合物の何れかと可塑剤とを含有するペーストゾルを固化させて得られる材料である場合などもあり、シリコンを主たる材料とする材料である場合もある。しかし、ここでは滑り止め部材の材料までは限定しない。
【００２３】
図４は、電話補助具が携帯電話を保持した状態を示す斜視図である。２１は携帯電話表示部を示し、２２はボタン部、２４はスピーカー部を示している。電話補助具１０で携帯電話を保持する為には、携帯電話表示部２１を電話保持面１１と電話保持部材１２の隙間である開口部１３から滑り込ませ、スピーカー部２４が開口部１４から出た状態にしている。
【００２４】
この時、電話保持面１１は、電話表示部２１に押されて沈み込み、携帯電話は、圧縮された電話保持面１１の弾性と電話保持部材１２にて保持され、電話保持部材１２の内側に配された滑り止め部材１９が携帯電話表示部２１に強く接する事で、携帯電話の滑りを防止している。
【００２５】
電話補助具１０での携帯電話の保持は、携帯電話に着信があってからでも良く、着信前に保持させておくことでも良く、着信前に携帯電話を保持させた場合、携帯電話を閉じた状態で、置いておくこともある。この時着信があれば、携帯電話を開き、スピーカー部２４を耳に当てて、通話を開始する。その後首を傾け、若干肩を上げる事で、肩と耳の間で携帯電話を保持する。
【００２６】
図５は、電話補助具の使用状態を示す図である。この時使用者は、頭を若干傾け、肩当て面１７を肩に当て、肩も若干上げて耳で携帯電話のスピーカー部２４を押さえる事で、耳と肩の間で携帯電話を挟み保持している。肩当て面１７には滑り止め部材１８が具備されており、携帯電話と一体になった電話補助具１０が肩から滑り落ちる事を防止している。
【００２７】
この時、肩当て面１７は、肩からの外力により圧縮され、よって使用者の肩の形状に合わせた形に変形し、肩と耳の間で挟み込みが安定して行われる。
【００２８】
図６は、電話補助具１０が携帯電話を保持した状態を電話補助具の厚み方向から見た斜視図である。この時、電話保持面１１と肩当て面１７は平行面ではなく角度を持つように設定されている。
【００２９】
図７は、スイカを切り落とした形状に製作した電話補助具の厚み方向から見た斜視図である。図１の電話補助具１０の形状は、枕のような形状をしているが、形状的にはこれに限定するものではなく、図６の様に、スイカを切り落とした様な形状である場合もあり、また、みかん、ショートケーキ、更に骨や三日月のような形状を成す場合もあり、キャラクターデザインを使用する場合もある。
【００３０】
図８は、立方体の形状に製作した電話補助具の斜視図である。３２はタグを示している。タグ３２は携帯電話のストラップとの接続を容易にし、電話補助具を携帯電話ストラップとして使用する場合もある。また、タグ３２を、チェーンなどの金属部材で構成する場合もある。
【００３１】
図９は、図８の電話補助具に対し、携帯電話を差し込んだ状態を示す斜視図である。この時、電話保持面１１は、電話表示部２１に押されて沈み込み、携帯電話は、圧縮された電話保持面１１の弾性と電話保持部材１２にて保持され、電話保持部材１２の内側に配された滑り止め部材１９が携帯電話表示部２１に強く接する事で、携帯電話の滑りを防止している。
【００３２】
図１０は、吸盤を具備した電話補助具の斜視図である。１０は電話補助具を示し、１１は電話保持面、３１は吸盤、３２はタグを示している。図では吸盤の個数は１個とした図になっているが、吸盤を２個とする場合もあり、吸盤の個数については規定しない。
【００３３】
図１１は、図１０の電話補助具に対し、携帯電話を吸盤に吸着させた状態を示す斜視図である。携帯電話表示部２１の背面に対し吸盤３１を吸着させ、電話補助具１０に対し携帯電話を保持させている。
【００３４】
図１２は、電話保持部材の一辺のみを固定した電話補助具の斜視図である。１０は電話補助具を示し、１１は電話保持面、１２は電話保持部材、１７は肩当て面である。この時電話保持部材１２の一辺は電話補助具１０に固定されている。また、肩当て面１７と電話保持面１１とは並行ではなく、角度を持った図となっている。
【００３５】
図１２では、一本の幅広バンドのような電話保持部材１２としたが、幅の狭いバンドのような電話保持部材１２を、２本、３本と具備する場合もある。
【００３６】
図１３は、図１２の電話補助具に対し、別方向から見た斜視図である。４１、４２は面ファスナーを示している。面ファスナー４１と面ファスナー４２を合わせる事で、電話保持部材１２の一辺を着脱自在に係止可能としている。
【００３７】
図１４は、図１２の電話補助具に対し、受話器を保持させた状態を示した斜視図である。４３は受話器を示している。受話器４３を電話補助具に保持させる為には、面ファスナー４１と面ファスナー４２を開く事で、電話保持部材１２の一辺を開き、電話保持面１１に受話器４３の背の部分を当て、電話保持部材１２を閉じて、面ファスナー４１と面ファスナー４２を合わせることで、電話補助具に対し、受話器を安定させて保持することができる。
【００３８】
本考案の電話補助具には外装の一部に企業名を入れ、ノベリティー商品として使用する場合もある。この時企業名を入れる場所は、電話保持部材１２の端部付近が望ましいが、これに限定するものではない。
【産業上の利用可能性】
【００３９】
本考案の電話補助具を事務所などで使用する場合、電話を耳と肩に挟んで保持する事が容易となり、よって両手が自由となり、携帯電話で通話をしながら同時に様々な作業を平行して行うことが可能となり、仕事の効率を向上させることができる。
【図面の簡単な説明】
【００４０】
【図１】電話補助具を電話保持面方向から見た斜視図である。
【図２】滑り止め部材１９の位置関係を示す部分断面図である。
【図３】電話補助具を肩当て面方向から見た斜視図である。
【図４】電話補助具が携帯電話を保持した状態を示す斜視図である。
【図５】電話補助具の使用状態を示す図である。
【図６】電話補助具が携帯電話を保持した状態を電話補助具の厚み方向から見た斜視図である。
【図７】スイカを切り落とした形状に製作した電話補助具の厚み方向から見た斜視図である。
【図８】立方体の形状に製作した電話補助具の斜視図である。
【図９】図８の電話補助具に対し、携帯電話を差し込んだ状態を示す斜視図である。
【図１０】吸盤を具備した電話補助具の斜視図である。
【図１１】図１０の電話補助具に対し、携帯電話を吸盤に吸着させた状態を示す斜視図である。
【図１２】電話保持部材の一辺のみを固定した電話補助具の斜視図である。
【図１３】図１２の電話補助具に対し、別方向から見た斜視図である。
【図１４】図１２の電話補助具に対し、受話器を保持させた状態を示した斜視図である。
【符号の説明】
【００４１】
１０  電話補助具
１１  電話保持面
１２  電話保持部材
１３  開口部
１４  開口部
１５  縫い付け部
１６  縫い付け部
１７  肩当て面
１８  滑り止め部材
１９  滑り止め部材
２１  携帯電話表示部
２２  ボタン部
２４  スピーカー部
３１  吸盤
３２  タグ
４１  面ファスナー
４２  面ファスナー
４３  受話器
【図１】
0003157539.tif 000003
【図２】
0003157539.tif 000004
【図３】
0003157539.tif 000005
【図１３】
0003157539.tif 000006
【図１４】
0003157539.tif 000007
【図４】
0003157539.tif 000008
【図５】
0003157539.tif 000009
【図６】
0003157539.tif 000010
【図７】
0003157539.tif 000011
【図８】
0003157539.tif 000012
【図９】
0003157539.tif 000013
【図１０】
0003157539.tif 000014
【図１１】
0003157539.tif 000015
【図１２】
0003157539.tif 000016